(57)【要約】      （修正有）【目的】デスクの数を増減したり、あるいは、移設がすばやく出来るレイアウトの変更が容易なデスクシステムに関するものでり、簡単な構造でレイアウト性に優れ、容易かつ短時間で人員の増減に対応することが出来き、使用者の体格に応じた使い勝手に優れたデスクシステムを提供することを目的とする。【構成】複数本の支柱１と、支柱間を連結する複数本の連結杆と、支柱間に設けられる複数枚の機能パネル３と、支柱１に嵌脱自在に取付けられる複数本の連結受け部材４と、連結受け部材４に取付けられる作業用天板５等より構成され、支柱１は作業用天板５上方に突出する高さで、機能パネル３は作業用天板５の上下方向に位置して支柱間に嵌脱可能に設けられ、支柱１、連結杆、機能パネル３を共用して、複数台のデスクを併設可能に構成したものである。【選択図】    図１
2004181101.tif 000002
【特許請求の範囲】
【請求項１】
複数本の支柱と、支柱間を連結する複数本の連結部材と、支柱間に設けられる複数枚の機能パネルと、支柱に嵌脱自在に取り付けられる複数本の連結受け部材と、連結受け部材に取り付けられる作業用天板等より構成され、支柱は作業用天板上方に突出する高さを有し、機能パネルは作業用天板の上下方向に位置して支柱間に嵌脱可能に設けられ、支柱、連結部材、機能パネルを共用して、複数台のデスクを併設可能に構成したことを特徴とするデスクシステム。
【請求項２】
複数本の支柱と、支柱間を連結する複数本の連結部材と、支柱間に設けられる複数枚の機能パネルと、支柱に嵌脱自在に取り付けられる複数本の連結受け部材と、連結受け部材に取り付けられる作業用天板等より構成され、支柱は作業用天板の上方に突出する高さを有し、作業用天板の各角部に等間隔に配設され、機能パネルは作業用天板の上下方向に位置して、支柱間に嵌脱自在に設けられ、支柱、連結部材、機能パネルを共用して、複数台のデスクを併設可能に構成したことを特徴とするデスクシステム。
【請求項３】
複数本の支柱と、支柱間を連結する複数本の連結部材と、支柱間に設けられる複数枚の機能パネルと、支柱に嵌脱自在に取り付けられる複数本の連結受け部材と、連結受け部材に取り付けられる略台形状の作業用天板等より構成され、支柱は作業用天板の上方に突出する高さを有し、作業用天板の各角部に等間隔に配設され、機能パネルは作業用天板の上下方向に位置して、支柱間に嵌脱自在に設けられ、支柱、連結部材、機能パネルを共用して、複数台のデスクを併設可能に構成したことを特徴とするデスクシステム。
【請求項４】
複数本の支柱と、支柱間を連結する複数本の連結部材と、支柱間に設けられる複数枚の機能パネルと、支柱に嵌脱自在に取り付けられる複数本の連結受け部材と、連結受け部材に取り付けられる略台形状の作業用天板等より構成され、支柱は作業用天板の上方に突出する高さを有し、作業用天板の各角部に等間隔に配設されると共に、周方向に等間隔に端面側が小さく中心部側が大きな縦溝を上下方向に少なくとも４本以上有し、連結部材は縦溝に嵌合して所望位置に取り外し可能に連結され、機能パネルは嵌合部材を介して連結部材が取り付けられる縦溝に嵌脱自在となし、連結受け部材は、連結部材と機能パネルが取り付けられる縦溝以外の縦溝に嵌脱自在に取り付けられ、作業用天板等を載置連結することを特徴とするデスクシステム。
【請求項５】
機能パネルは、少なくとも、支柱間で作業用天板の下方に位置する幕板パネルと、支柱間で作業用天板の上方に位置するピンナップパネルと、隣接する個所を透視できる透視用パネルからなる事を特徴とする請求項１、又は請求項２、又は請求項３、又は請求項４に記載のデスクシステム。
【発明の詳細な説明】
【０００１】
【発明の属する技術分野】
本発明は、デスクの数を増減したり、あるいは、移設したりすることがすばやく出来るレイアウトの変更が容易なデスクシステムに関するものである。
【０００２】
【従来の技術】
従来、デスク単体を並置したりあるいは移動させることで、デスクの数を増減し、人員の増減に対応しているのが一般的であった。
すなわち、人員が増加した場合は、机を新たに搬入し、レイアウトを変更することが通常行われるが、新たに搬入した机が他の机のデザインと統一されなかったり、大きさが異なったりして、全体の美観を損ねる事があった。
又、減員となる場合は、机を他の部署に移したり、所定の場所に保管したりするが、移動の場合は運び出すための人員が必要となり、保管するにしても広い場所が必要となり好ましくなかった。
【０００３】
上記問題を解決する為、複数の天板と、天板の側面、あるいは、隣接する２枚の天板のそれぞれに取り付けられる脚部と、天板の使用者が位置する側とは反対側の側面に当接して取り付けられるパネルフレームとを備え、パネルフレームにパンチングボードを取り付けて通気性を持たせた、あるいは、ピンナップボードを取り付けてパーティション機能を持たせた机が提供されている。（例えば特許文献１参照。）
【０００４】
しかしながら、上記の場合、隣接する机の天板の高さが常に一定となり、使用する人の体格の違いによる使用勝手の良し悪しは考慮されていなかった。
又、天板を増減する場合、天板と脚部の取り付け状態によっては、すでに設置された机から脚部を取り外した後、新たに、左右の天板と脚部を同時に連結しなければならず非常に手間がかかった。
さらに、この時、隣接する机間に隔壁を設けている場合はより一層の手間がかかり、増減の作業を短時間で行う事は困難であった。
【０００５】
【特許文献１】
特許第２９３４７５１号公報
【０００６】
【発明が解決しようとする課題】
本発明は、上記欠点を解決する事を課題とし、簡単な構造でレイアウト性に優れ、容易かつ短時間の作業で人員の増減に対応することが出来て、使用者の体格の違いに対応可能な使い勝手に優れたデスクシステムを提供することを目的とする。
【０００７】
【課題を解決する為の手段】
上記課題を解決する為、本発明が手段とする第１の特徴は、複数本の支柱と、支柱間を連結する複数本の連結部材と、支柱間に設けられる複数枚の機能パネルと、支柱に嵌脱自在に取り付けられる複数本の連結受け部材と、連結受け部材に取り付けられる作業用天板等より構成され、支柱は作業用天板上方に突出する高さを有し、機能パネルは作業用天板の上下方向に位置して、支柱間に嵌脱可能に設けられ、支柱、連結部材、機能パネルを共用して、複数台のデスクを併設可能に構成したものである。
【０００８】
次に、本発明が手段とする第２の特徴は、複数本の支柱と、支柱間を連結する複数本の連結部材と、支柱間に設けられる複数枚の機能パネルと、支柱に嵌脱自在に取り付けられる複数本の連結受け部材と、連結受け部材に取り付けられる作業用天板等より構成され、支柱は作業用天板の上方に突出する高さを有し、作業用天板の各角部に等間隔に配設され、機能パネルは作業用天板の上下方向に位置して、支柱間に嵌脱自在に設けられ、支柱、連結部材、機能パネルを共用して、複数台のデスクを併設可能に構成したものである。
【０００９】
次に、本発明が手段とする第３の特徴は、複数本の支柱と、支柱間を連結する複数本の連結部材と、支柱間に設けられる複数枚の機能パネルと、支柱に嵌脱自在に取り付けられる複数本の連結受け部材と、連結受け部材に取り付けられる略台形状の作業用天板等より構成され、支柱は作業用天板上方に突出する高さを有し、作業用天板の各角部に等間隔に配設され、機能パネルは作業用天板の上下方向に位置して、支柱間に嵌脱可能に設けられ、支柱、連結部材、機能パネルを共用して、複数台のデスクを併設可能に構成したものである。
【００１０】
次に、本発明が手段とする第４の特徴は、複数本の支柱と、支柱間を連結する複数本の連結部材と、支柱間に設けられる複数枚の機能パネルと、支柱に嵌脱自在に取り付けられる複数本の連結受け部材と、連結受け部材に取り付けられる略台形状の作業用天板等より構成され、支柱は作業用天板上方に突出する高さを有し、作業用天板の各角部に等間隔に配設されると共に、周方向に等間隔に端面側が小さく中心部側が大きな縦溝を上下方向に少なくとも４本以上有し、連結部材は縦溝に嵌合して所望位置に取り外し可能に連結され、機能パネルは嵌合部材を介して連結部材が取り付けられる縦溝に嵌着自在となし、連結受け部材は連結部材、機能パネルが取り付けられる縦溝以外の縦溝に嵌脱自在に取り付けられ、作業用天板等を載置連結するものである。
【００１１】
次に、本発明が手段とする第５の特徴は、前記第１から第４の特徴に加え、機能パネルは、少なくとも、支柱間で作業用天板の下方に位置する幕板パネルと、支柱間で作業用天板の上方に位置するピンナップパネルと、隣接する個所が透視できる透視用パネルからなるものである。
【００１２】
【実施例】
以下、添付図面に基づいて実施例を説明する。
図１、図２において、符号１・・・は支柱を示し、符号２・・・は支柱１、１間を連結する複数本の連結部材を示し、符号３・・・は支柱１、１間に設けられる複数枚の機能パネルを示し、符号４・・・は支柱１、１に嵌脱自在に取り付けられる複数本の連結受け部材を示し、符号５は連結受け部材４・・・に取り付けられる作業用天板５を示している。
【００１３】
支柱１は、外形断面が略正六角形の周壁１１と、周壁１１の中心部に位置する断面略正六角形状の中央壁１５と、中央壁１５の角部から周壁１１の角部内面に向かって放射状に連設された放射状片１６・・・を有し、アルミ材の押出成型により形成されている。
そして、周壁１１に連設された係止突片１２、１２と、放射状片１６、１６より、端面側が小さく中心部側が大きな縦溝１４が、周壁１１の各片の中央部に、周方向に等間隔で上下方向に渡って６本形成され、中央壁１５の作業用天板５等の取付高さに対応して、高さ方向所定位置に複数個の嵌入孔１７・・・が縦溝１４に臨んで形成されている。
又、支柱１の上端面には合成樹脂製の上端キャップ１８が、下端面にはアジャスター１０を設けた合成樹脂製の下端キャップ１９が取り付けられている。
【００１４】
連結部材２は、図３及び図４に示すように、上辺２１と左右片２２、２２と下辺２３よりなる断面角パイプ状の支杆２４と、支杆２４の支柱１側両端部に設けられた連結部材取付金具２５より構成されている。
連結部材取付金具２５は、縦溝１４の上端より、係止突片１２、１２の内側で、放射状片１６、１６内に位置する嵌入突部２６と、係止突片１２、１２間を挿通して外方に突出し、端部が外方に向かって下方に傾斜する連結用傾斜面２７１を有する嵌入突部２６に連設された連結用突部２７より構成されている。
そして、連結用傾斜面２７１に対し直角に交差するよう形成された連結用螺孔２７０が連結用突部２７に形成されている。
一方、前記支杆２４の下辺２３の端部には、連結用傾斜面２７１と平行に上方に突出させて、連結用螺孔２７０に対応する連結ネジ挿通孔２３０を有する連結用突片２３１が形成されている。
【００１５】
すなわち、連結用突片２３１、２３１に頭部が当接する連結ネジ２５０，２５０を、連結用螺孔２７０，２７０に螺合した状態で、上端キャップ１８、１８を取り外した支柱１、１の上端から嵌入突部２６、２６を縦溝１４，１４に嵌合し、縦溝１４，１４の所定位置で、支杆２４の操作孔２１０、２１０より六角レンチを挿通させ、連結ネジ２５０、２５０を連結用螺孔２７０、２７０とさらに螺合せしめて、連結部材取付金具２５、２５を周壁１１、１１側に移動させる。
すると、嵌入突部２６、２６のそれぞれの周壁１１、１１側端面が、係止突片１２・・・内に圧接し、同時に、支杆２４の左右両端面が周壁１１、１１（係止突片１２・・・）の外面に圧接して、連結部材２は、支柱１、１間の上下方向所望位置に固定される。
すなわち、連結部材２は支柱１、１間を連結した状態となる。
【００１６】
機能パネル３は、図５、図６に示す幕板パネル６、図７、図８に示すピンナップパネル７、図９に示す透視用パネル７０、図１０に示す小物吊下げ用パネル８等から構成されている。
幕板パネル６は、多数の小孔が形成されたスティール製の表裏板６１、６２の左右上下端部を内方に折り曲げた左右上下突片６１１、６１１、６１２、６１２、６２１、６２１、６２２、６２２を重ね合わせ、さらに、左右突片６１１、６１１、６２１、６２１をビス止め連結して構成されており、左右端部に嵌合部材９、９を取り付けて、支柱１、１間に取り付けられる。
尚、小孔は、隣接する机と、幕板を共用する場合などは、通風は可能としながら、小孔を通して隣接した個所から透視できないように表裏板６１、６２に上下方向に位置をずらして形成されている。（尚、実施例では、表裏板６１、６２は同一の板材で、一方の板材を上下反転して配置することで、小孔位置を上下方向にずらしている。）
又、高さ方向の寸法およびカラーを数種類用意したり、小孔が施されていない幕板パネル６を用意したりする事により、使用者の好みに対応する事ができる。
【００１７】
嵌合部材９は、幕板パネル６、ピンナップパネル７、あるいは、小物吊下げ用パネル８の左右端部が嵌合する第１嵌合溝９１を有する第１嵌合部９２と、第１嵌合部９２に背中合わせに連設され透視用パネル７０の左右端部が嵌合する第２嵌合溝９３を有する第２嵌合部９４と、第１嵌合部９２と第２嵌合部９１間に対向して連設され、係止突片１２、１２が嵌入する嵌入溝９５、９５を有し、合成樹脂材の押出成型により形成されている。
【００１８】
そして、上端キャップ１８を取り外した支柱１、１の上端より、幕板パネル６の左右端部に取り付けられた嵌合部材９、９の嵌入溝９５・・・に係止突片１２・・・を嵌入させて、支柱１、１間の所定位置に取り付けられる。
この時、幕板パネル６は、上下方向に移動自在となっているので、取付位置によっては、連結部材２上に載置された他の幕板パネル６上に載置したり、あるいは、図６に示すように連結部材２上に直接載置する事で下降するのを防止している。
尚、第１嵌合溝９１には第２嵌合溝９３に連通して、ビス頭の逃がし孔が形成されている。
【００１９】
ピンナップパネル７は、周縁７１を残して中央部にパネル嵌合凹部７２を形成した２枚のスティール製板材７３、７４を重ね合わせ、さらに、互いの周縁７１の左右端部側をビス止め連結した基板７５と、インシュレーションボ−ド等のピンナップ可能な板材の表面側にクロス地を貼付して形成したピンナップボード７６、７６よりなり、基板７５の嵌合凹部７２、７２とピンナップボード７６、７６の裏面側に面ファスナー７７、７７を設ける事で、嵌合凹部７２、７２にピンナップボード７６、７６を着脱自在に設けて構成している。
すなわち、ピンナップボード７６、７６のクロス地のカラー、織地、高さ寸法等異なったものを数種類用意する事で、使用者の好みに対応することができる。そして、上記の如く構成されたピンナップパネル７は、上記幕板パネル６と同様に、左右端部に前記嵌合部材９、９を取り付けて、支柱１、１間に取り付けられる。
【００２０】
透視用パネル７０は、透明なアクリル製の板材より形成され、嵌合部材９、９の第２嵌合溝９３、９３に左右端部を嵌合させて、嵌合部材９、９を取り付け、上端キャップ１８、１８を取り外した支柱１、１の上端より、縦溝１４、１４に第１嵌合部９２、９２を嵌入し、嵌入溝９５・・・に係止突片１２・・・を嵌入させて、支柱１、１間の所定位置に取り付けられる。
そして、この透視用パネル７０を、連設した机間のパネル最上部に取り付けた場合は、机の使用者が立ち上がることで周囲を見渡すことができる。
【００２１】
小物吊下げ用パネル８は、ピンナップパネル７の基板７５と同一形状の支持板９１等から構成されている。
そして、実施例では、一方側にピンナップパネル７と同様にピンナップボード７６が着脱自在に取り付けられ、他方には係止用パネル８１が取り付けられている。
係止用パネル８１は、上下方向に所定間隔を有すると共に、背板８２との間に左右方向全幅に渡って係止用空間８３・・・を形成する上向き係止突片８４・・・を有し、アルミ材の押出成型によって形成されている。
そして、上記の如く構成された小物吊り下げ用パネル８は、上記幕板パネル６と同様にして、左右端部に前記嵌合部材９、９を取り付けて、支柱１、１間に取り付けられる。
そして、トレー、あるいは小物収納棚等を、それらの裏面側に設けた下向き係止片を上向き係止突片８４・・・に係止させることで、小物吊り下げ用パネル８に取り付けられる。
【００２２】
連結受け部材４は、機能パネル３、および連結部材２が取り付けられる縦溝１４以外の縦溝１４に取り付けられるもので、天板載置部４１と、支柱嵌合部４２と、天板載置部４１の両側端部下方に垂下し、支柱嵌合部４２の両側端部前方に連設された補強壁４３、４３より側面視略横向きＬ字形に形成され、天板載置部４１には作業用天板５を連結するための取付孔４１１、４１１が形成されている。
【００２３】
支柱嵌合部４２は、係止突片１２、１２間より幅広く、周壁１１の外側に位置し、取付状態で周壁１１外面に裏面側下方部が圧接する第１支柱圧接部４２１と、第１支柱圧接部４２１の上方に連設され裏面側上部が外方に傾斜する第１傾斜昇降部４２３と、係止突片１２、１２間から縦溝１４内に突出し、取付状態で中央壁１５の外面に裏面側が圧接する第２支柱圧接部４２４と、第２支柱圧接部４２４の上方に連設され、裏面側上部が外方に傾斜する第２傾斜昇降部４２５と、第２傾斜昇降部４２５の上端部に位置し、取付状態で係止突片１２、１２の裏面側に圧接する第３支柱圧接面４２６が前端に形成され、係止突片１２、１２間より大きく上下方向に所定の厚みの嵌合圧接部４２７を有している。
【００２４】
そして、支柱嵌合部４２の上端部には前面から貫通する貫通螺孔４２８が形成され、貫通螺孔４２８に締め付けネジ４２９が螺合し、先端部が中央壁１５に当接することで嵌合圧接部４２７を係止突片１２、１２側に移動せしめ第３支柱圧接面４２６が係止突片１２、１２の裏面側に圧接すると共に、支柱嵌合部４２の第２支柱圧接部４２４の下端部裏面に設けられた嵌入突起４３０が、中央壁１５の嵌入孔１７に嵌入し、連結棚受け部材４の上下方向への移動を防止する構成となっている。
【００２５】
すなわち、第１支柱圧接部４２１を有する面と第３支柱圧接面４２６との間隔は係止突片１２の厚みとほぼ等しく形成され、第１支柱圧接部４２１の裏面上方に第１傾斜昇降部４２３の裏面が外方に傾斜して設けられているので、締め付けネジ４２９を緩めて、第１傾斜昇降部４２３を周壁１１（係止突片１２、１２）の外面に接触するよう傾斜させた状態では、嵌入突起４３０が嵌入孔１７より抜け出し、連結受け部材４は上下方向に移動自在となる。
連結受け部材４は、天板５を載置連結するだけでなく、天板の上方で小棚を載置連結する等、数々の使い方が可能である。
【００２６】
天板５は、使用者側端面の右側部を窪ませた略台形状に形成され、使用者の対面側と斜辺縁に電源線や通信線等の挿通用の切り欠き部５１・・・を設けている。
そして、実施例では天板５の下方で、使用者の対面側と左側の機能パネル３の内面上部に、下端部を機能パネル３に枢止連結したＬ字形の配線ダクト部材５２、５２を下方に回動自在に設け、開放されている上部から切り欠き部５１を通して、天板５の上面に電源線等を臨ませることができる。
【００２７】
又、実施例では、使用者の対面側と左側の面で、支柱１・・・間の最下方に連結部材２、２を配し、その上に幕板パネル６・・・を取り付け、さらに支柱１の高さ中間付近で、天板５の高さ位置より低い位置に連結部材２、２を配し、その上にピンナップパネル７、７等を取り付けて、幕板パネル６・・・と連結部材２、２間に隙間を設けて配線用間隙５０を形成している。
【００２８】
すなわち、デスクの外部（あるいは、図１５、図１６に示すように、支柱１・・・等を共用して、多数のデスクを配設した場合、対面するデスク、あるいは隣接するデスク）から、配線用間隙５０を通して、配線ダクト部材５２内に電源線等を導くようにしている。すなわち、渡り配線が可能に構成されている。
【００２９】
又、実施例では、連結受け部材４は支柱１の上端から縦溝１４に嵌合して所望位置まで上下方向に移動させて取り付ける構成であるが、縦溝１４の所望位置で、外面側から取り付けるようにする事も可能である。
【００３０】
すなわち、支柱嵌合部４２には、実施例と同様の第１支柱圧接部４２１を上下方向全幅に渡って設けて構成した前側支持部と、係止突片１２、１２間から縦溝１４内に突出し、中央壁１５の嵌入孔１７に嵌入する嵌入突起４３０を有する第２支柱圧接部４２４と同様の下部嵌入部が前側支持部の下方裏面に連設され、巾寸法が係止突片１２、１２間より小さく、長さ寸法が放射状片１６、１６間より長く、中央部に螺孔を有する挟持片が、前側支持部の上端部に裏面側に連結ボルトを介して設けられている。
【００３１】
そして、所定位置で、挟持片を縦方向にした状態で係止突片１２、１２間から、下部嵌入部と共に、挟持片を縦溝１４内に位置せしめて、嵌入孔１７に嵌入突起４３０を嵌入し、前側支持部の裏面を周壁１１の表面側に当接せしめる。
次に、連結ボルトを締め付けると、挟持片も回動するが、長さ寸法が放射状片１６、１６間より長く設定されているので、端部が放射状片１６の内面に当接して回動が阻止された状態となりなる。
さらに、連結ボルトを締め付けると、前側支持部方向に移動し、やがて、前側支持部裏面と挟持片で、係止突片１２、１２を挟持し、連結受け部材４は支柱１に強固に取り付けられる。
【００３２】
本発明は、上記の如く構成され、連結部材２の両端部に設けた連結部材取付金具２５、２５を、上端キャップ１８、１８を外した支柱１、１の縦溝１４、１４（下方に嵌入孔１７が形成されていない縦溝１４）の上端より同時に嵌合した後、所望位置まで押し下げて、締め付けネジ４２９を締め付けて連結部材２と支柱１、１を連結する。
そして、上記作業を繰り返す事で、図１５あるいは図１６等に示すような所定のレイアウトに対応する支柱１・・・の位置を得る。
次に、使用者の好みに対応して、支柱１、１間に各種の幕板パネル６等を嵌合すると共に連結部材２を所定位置に連結し、支柱１、１間の連結強度のアップを図る。
【００３３】
そして、さらに天板５の上方でピンナップパネル７等を支柱１・・・間に嵌合し、連結受け部材４・・・を支柱１・・・の所定位置に内側に突出した状態に取り付け、さらに、配線ダクト５２を天板５の下方で幕板パネル６に取り付ける。次に、天板５を連結受け部材４・・・上に載置し、連結ボルト（図示せず。）にて天板５と連結受け部材４を連結し、最後に支柱１に上端キャップ１８を取り付ける。
【００３４】
【発明の効果】
特許請求の範囲の請求項１に記載の発明によれば、支柱が作業用天板上方に突出する高さを有し、機能パネルが作業用天板の上下方向に位置して支柱間に嵌脱可能に設けられているので、従来のように、天板を支持する脚部、天板上に設けられるパネルフレームを支柱で兼用する事ができ、支柱、連結部材、機能パネルを共用して、複数台のデスクを併設可能に構成したので、部材点数が少なく安価に製作できる。
【００３５】
請求項２に記載の発明によれば、請求項１の効果に加え、支柱は作業用天板の各角部に等間隔に配設されるので、部品点数が少なくても左右方向、対面方向いずれのレイアウトも得る事が出来る。
【００３６】
請求項３に記載の発明によれば、請求項２の効果に加え、作業用天板が略台形状に形成されているので、使用勝手に優れ、数々のレイアウトを得る事ができる。
【００３７】
請求項４に記載の発明によれば、請求項３の効果に加え、支柱は周方向に等間隔で端面側が小さく中心部側が大きな縦溝を上下方向に少なくとも４本以上有し、連結部材は縦溝に嵌合して所望位置に取り外し可能に連結され、機能パネルは嵌合部材を介して連結部材が取り付けられる縦溝に嵌脱自在となし、連結受け部材は、連結部材と機能パネルが取り付けられる縦溝以外の縦溝に嵌脱自在に取り付けられ、作業用天板等を載置連結するので、組み立て作業が容易、レイアウト変更作業を短時間で行え、また、デスクの増減に対応する際に必要となる部材の保管スペースも少なくてすむ。
【００３８】
請求項５に記載の発明によれば、機能パネルは、種々のパネルから構成されているので、ユーザーの要望に応じて種々の異なった環境の作業空間を提供することが可能である。
【図面の簡単な説明】
【図１】本発明の単体での正面図
【図２】本発明の単体での斜視図
【図３】支柱と連結部材の連結状態を示す要部断面図
【図４】図３のＡ−Ａ線断面図
【図５】幕板パネルと支柱の嵌合状態を示す要部断面図
【図６】図５のＢ−Ｂ線断面図
【図７】ピンナップパネルと支柱の嵌合状態を示す要部断面図
【図８】図７のＣ−Ｃ線断面図
【図９】透視用パネルと支柱の嵌合状態を示す要部断面図
【図１０】小物吊り下げ用パネルの要部縦断面図
【図１１】連結受け部材と支柱の取付状態を示す断面図
【図１２】図１１のＤ−Ｄ線断面図
【図１３】図１２のＥ−Ｅ線断面図
【図１４】図１２のＦ−Ｆ線断面図
【図１５】本発明のレイアウト例１を示す平面図
【図１６】本発明のレイアウト例２を示す平面図
【符号の説明】
１              支柱
１２            係止突片
１３            縦溝
２              連結部材
２４            支杆
２５            連結部材取付金具
３              機能パネル
４              連結受け部材
５              作業用天板
６              幕板パネル
７              ピンナップパネル
７０            透視用パネル
８              小物吊り下げ用パネル
９              嵌合部材
【図１】
2004181101.tif 000003
【図２】
2004181101.tif 000004
【図３】
2004181101.tif 000005
【図４】
2004181101.tif 000006
【図５】
2004181101.tif 000007
【図６】
2004181101.tif 000008
【図７】
2004181101.tif 000009
【図８】
2004181101.tif 000010
【図９】
2004181101.tif 000011
【図１０】
2004181101.tif 000012
【図１１】
2004181101.tif 000013
【図１２】
2004181101.tif 000014
【図１３】
2004181101.tif 000015
【図１４】
2004181101.tif 000016
【図１５】
2004181101.tif 000017
【図１６】
2004181101.tif 000018